(57)【要約】      （修正有）【課題】蓋体を一定時間、開いた状態を維持した後に自動的に閉じることのできる蓋体遅延作動機構を提供する。【解決手段】収納ケース本体１１と、収納ケース本体１１の開口部１１ａを開閉可能に配置された蓋体１２と、一端が蓋体１２に取り付けられるとともに、他端が収納ケース本体１１に回動可能に軸支されたアーム部材１３と、アーム部材１３を立設されたピン部材１４を介して回転駆動するカム部材１５と、カム部材１５を回動付勢するバネ部材１６と、一端がアーム部材１３に回動可能に係止されるとともに、他端がカム部材に当接したレバー部材１７と、カム部材１５の一部に係合してカム部材１５の回動速度を減速するダンパー部材１８と、レバー部材１７の他端に立設されたレバーピン１９を案内するレール部材２０とから構成されたので、蓋体１２を一定時間、開いた状態を維持した後に自動的に閉じることができる。【選択図】図１
2013129272.tif 000002
【特許請求の範囲】
【請求項１】
収納ケース本体と、前記収納ケース本体の開口部を開閉可能に配置された蓋体と、一端が蓋体に取り付けられるとともに、他端が前記収納ケース本体に回動可能に軸支されたアーム部材と、前記アーム部材を立設されたピン部材を介して回転駆動するカム部材と、前記カム部材を回動付勢するバネ部材と、一端が前記アーム部材に回動可能に係止されるとともに、他端が前記カム部材に当接したレバー部材と、前記カム部材の一部に係合してカム部材の回動速度を減速するダンパー部材と、前記レバー部材の他端に立設されたレバーピンを案内するレール部材とから成り、
前記蓋体を手動で開成した後、蓋体から手を離した際、カム部材が戻り回転しても前記カム部材に立設されたピン部材が前記アーム部材に当接するまでの時間、開成状態を維持した後に蓋体が閉じることを特徴とする蓋体遅延作動機構。
【請求項２】
前記カム部材は、前記レバーピンがレール部材から外れた際に、バネ部材の付勢力及びダンパー部材の働きによりゆっくり戻り回動し、前記ピン部材がアーム部材に当接するまでの時間、蓋体の閉動作が停止することを特徴とする請求項１に記載の蓋体遅延作動機構。
【請求項３】
前記レール部材は、湾曲した２本の部材から成り、蓋体が閉状態から開状態に至るまでのレバーピンを挟持案内し、蓋体の開動作が完了した時点でレバーピンの案内を終了することを特徴とする請求項１または２に記載の蓋体遅延作動機構。
【請求項４】
前記ダンパー部材は、回転ダンパーであり、前記カム部材の一部と歯合していることを特徴とする請求項１〜３の何れか１項に記載の蓋体遅延作動機構。
【請求項５】
前記カム部材は、レール部材がレバーピンを挟持案内する間は、バネ部材によって回動することなく、レール部材とレバーピンの係合が外れた時点で、回動してアーム部材を介して蓋体を閉成することを特徴とする請求項１〜４の何れか１項に記載の蓋体遅延作動機構。
【発明の詳細な説明】
【技術分野】
【０００１】
この発明は、自動車等の室内に配設してある小物入れの蓋体等を手動で開いた後、所定時間経過後に自動で閉じることのできる蓋体遅延作動機構に関するものである。
【背景技術】
【０００２】
従来、蓋付きの小物入れ等の収納機構は、一度蓋を開くと、手動で閉じるまで開いた状態が続き、見映えが悪い上に、周辺機器やスイッチ操作の邪魔になっていた。
例えば、特許文献１に開示された蓋開閉構造の場合、ボックス本体と、このボックス本体の開口部を開閉する蓋体と、蓋体を閉方向に付勢する付勢バネとを備え、蓋体が閉じる動作の完了前に蓋体の閉動作を減速する減速手段である当接部とこれに当接する被当接部を設けて構成したものです。
【先行技術文献】
【特許文献】
【０００３】
【特許文献１】特開平９−２６７６９７号公報
【発明の概要】
【発明が解決しようとする課題】
【０００４】
しかし、前記従来の蓋開閉構造は、手動で蓋体を開き、閉じる際も手動で閉じなければならず、操作が煩雑であるとともに、開いた状態の蓋体から内部に収納した物が見えて、外観が悪い上に、周辺機器やスイッチ操作の邪魔であると云う欠点が存在した。
また、タイマーや電気的制御によって所定時間経過後に自動で閉じることのできる蓋体の構成は、可能であるが構造が複雑になるとともに、部品点数が増加して安価に提供できない問題があった。
【０００５】
この発明は、上記したような不都合を解消するために為されたもので、手動で蓋体を開き、内部に小物を収納したり、収納小物を取り出したら、所定時間の経過後、自動的に蓋体を閉じることのできる蓋体遅延作動機構を提供するものである。
【課題を解決するための手段】
【０００６】
この発明は、以下のような内容である。
（１）本発明の蓋体遅延作動機構は、収納ケース本体と、前記収納ケース本体の開口部を開閉可能に配置された蓋体と、一端が蓋体に取り付けられるとともに、他端が前記収納ケース本体に回動可能に軸支されたアーム部材と、前記アーム部材を立設されたピン部材を介して回転駆動するカム部材と、前記カム部材を回動付勢するバネ部材と、一端が前記アーム部材に回動可能に係止されるとともに、他端が前記カム部材に当接したレバー部材と、前記カム部材の一部に係合してカム部材の回動速度を減速するダンパー部材と、前記レバー部材の他端に立設されたレバーピンを案内するレール部材とから成り、前記蓋体を手動で開成した後、蓋体から手を離した際、カム部材が戻り回転しても前記カム部材に立設されたピン部材が前記アーム部材に当接するまでの時間、開成状態を維持した後に蓋体が閉じることを特徴とする。
（２）（１）に記載の蓋体遅延作動機構において、前記カム部材は、前記レバーピンがレール部材から外れた際に、バネ部材の付勢力及びダンパー部材の働きによりゆっくり戻り回動し、前記ピン部材がアーム部材に当接するまでの時間、蓋体の閉動作が停止することを特徴とする。
（３）（１）または（２）に記載の蓋体遅延作動機構において、前記レール部材は、湾曲した２本の部材から成り、蓋体が閉状態から開状態に至るまでのレバーピンを挟持案内し、蓋体の開動作が完了した時点でレバーピンの案内を終了することを特徴とする。
（４）（１）〜（３）に記載の蓋体遅延作動機構において、前記ダンパー部材は、回転ダンパーであり、前記カム部材の一部と歯合していることを特徴とする。
（５）（１）〜（４）に記載の蓋体遅延作動機構において、前記カム部材は、レール部材がレバーピンを挟持案内する間は、バネ部材によって回動することなく、レール部材とレバーピンの係合が外れた時点で、回動してアーム部材を介して蓋体を閉成することを特徴とする。
【発明の効果】
【０００７】
本発明の蓋体遅延作動機構によれば、収納ケース本体と、前記収納ケース本体の開口部を開閉可能に配置された蓋体と、一端が蓋体に取り付けられるとともに、他端が前記収納ケース本体に回動可能に軸支されたアーム部材と、前記アーム部材を立設されたピン部材を介して回転駆動するカム部材と、前記カム部材を回動付勢するバネ部材と、一端が前記アーム部材に回動可能に係止されるとともに、他端が前記カム部材に当接したレバー部材と、前記カム部材の一部に係合してカム部材の回動速度を減速するダンパー部材と、前記レバー部材の他端に立設されたレバーピンを案内するレール部材とから成り、前記蓋体が前記収納ケース本体の開口部を閉成した状態では、前記カム部材に立設されたピン部材は、前記アーム部材の一部に当接して蓋体を閉成方向に付勢し、前記蓋体を手動で開成するに従って、前記レバー部材のレバーピンは、前記レール部材に案内されつつ前記カム部材を大きく反付勢方向に回動させ、前記蓋体の開成が完了した時点で、前記レバーピンは前記レール部材から外れカム部材の戻り回転が可能となり、蓋体から手を離した際、カム部材が戻り回転しても前記カム部材に立設されたピン部材が前記アーム部材に当接するまでの時間、開成状態を維持するので、収納ケースに物を出し入れする間、蓋体が開いており、所定時間経過後自動的に閉じる。
つまり、レバー部材は、カム部材を回転させることによりカム部材の回転角が大きくなって、遅延時間を創り出すことができる。
したがって、操作が容易であるとともに、開いた状態の蓋体から内部に収納した物が見える虞がなく、周辺機器やスイッチ操作の邪魔にならない。
また、前記カム部材は、前記レバーピンがレール部材から外れた際に、バネ部材の付勢力及びダンパー部材の働きによりゆっくり戻り回動し、前記ピン部材がアーム部材に当接するまでの時間、蓋体の閉動作が停止するので、蓋体の開いた状態を所定時間維持することができる。
したがって、収納ケースに物を出し入れする時間を確保することができる。
確実に軸体を保持固定することができる。
また、前記レール部材は、湾曲した２本の部材から成り、蓋体が閉状態から開状態に至るまでのレバーピンを挟持案内し、蓋体の開動作が完了した時点でレバーピンの案内を終了するので、蓋体を開く過程の途中では、蓋体が閉じてしまう虞がなく、開成動作の完了後に初めて蓋体を閉じることができる。
軸体を確実に蓋体遅延作動機構を介して被取付部材に取り付けることができる。
また、前記ダンパー部材は、回転ダンパーであり、前記カム部材の一部と歯合しているので、ダンパー部材の戻り回転を遅延させて、蓋体の開いた状態を所定時間維持することができる。
また、前記カム部材は、レール部材がレバーピンを挟持案内する間は、バネ部材によって回動することなく、レール部材とレバーピンの係合が外れた時点で、回動してアーム部材を介して蓋体を閉成するので、蓋体を開く過程の途中では、蓋体が閉じてしまう虞がなく、開成動作の完了後に初めて蓋体を閉じることができる。
【図面の簡単な説明】
【０００８】
【図１】図１は、本発明の一実施の形態である蓋体遅延作動機構の分解斜視図である。
【図２】図２は、同蓋体遅延作動機構において、蓋体が閉じた状態を示す模式図である。
【図３】図３は、同蓋体遅延作動機構において、蓋体を手動で開く過程を示す模式図である。
【図４】図４は、同蓋体遅延作動機構において、蓋体が開きレール部材からレバーピンが外れた状態を示す模式図である。
【図５】図５は、同蓋体遅延作動機構において、レール部材からレバーピンが外れ、カム部材が戻り回転を始めてからアーム部材に当接するまでのタイマー範囲を示す模式図である。
【図６】図６は、同蓋体遅延作動機構において、カム部材がアーム部材に当接して蓋体を閉じる状態示す模式図である。
【実施例１】
【０００９】
以下、一実施の形態を示す図面に基づいて本発明を詳細に説明する。図１は本発明の一実施の形態である蓋体遅延作動機構の分解斜視図、図２は本発明の蓋体遅延作動機構において、蓋体が閉じた状態を示す模式図である。ここで、本発明の蓋体遅延作動機構１０は、収納ケース本体１１と、収納ケース本体１１の開口部１１ａを開閉可能に配置された蓋体１２と、一端が蓋体１２に取り付けられるとともに、他端が収納ケース本体１１に回動可能に軸支されたアーム部材１３と、アーム部材１３を立設されたピン部材１４を介して回転駆動するカム部材１５と、カム部材１５を回動付勢するバネ部材１６と、一端がアーム部材１３に回動可能に係止されるとともに、他端が前記カム部材１５に当接したレバー部材１７と、カム部材１５の一部に係合してカム部材の回動速度を減速するダンパー部材１８と、レバー部材１７の他端に立設されたレバーピン１９を案内するレール部材２０とから構成されている。
【００１０】
収納ケース本体１１は、正面に開口部１１ａを有しており、ここから物の出し入れができる。蓋体１２は、収納ケース本体１１の側面に立設された軸２１に軸孔２２で回動可能に軸支されたアーム部材１３によって支持されている。また、軸２１とアーム部材１３の間には、コイルバネ２３が配設されており、蓋体１２を閉成方向へ付勢している。コイルバネ２３の外側からブシュ２４がネジ２５によって取り付けられている。更に、蓋体１２の収納ケース本体１１と当接する面には、閉成の際の衝撃を和らげるための弾性材２６が取り付けられている。
【００１１】
アーム部材１３は、軸孔２２の周囲に円板状の拡径部１３ａと略扇形の切り欠き部１３ｂを有しており、拡径部１３ａに形成された軸孔２７にレバー部材１７の一端に立設されたレバーピン２８に遊嵌されている。
カム部材１５は、収納ケース本体１１の側面に立設されたカム軸２９に軸孔３０で回動可能に軸支されている。また、カム部材１５は、ダンパー部材１８と噛合する歯車部１５ａと、アーム部材１３の切り欠き部１３ｂと当接するピン部材１４と、レバー部材１７に立設されたレバーピン１９と当接する切欠凹部１５ｂとを有しており、バネ部材１６で矢印Ａ方向（時計方向）に回動付勢されている。バネ部材１６は、一端が収納ケース本体１１に固定され、他端がカム部材１５に固定された捩りバネであって、カム部材１５を回動付勢する。
【００１２】
レバー部材１７は、直線状部材であって、一端にレバーピン１９が他端にレバーピン２８が立設されており、このレバーピン２８でアーム部材１３の拡径部１３ａに形成された軸孔２７に回動可能に支承されている。また、バネ部材３１によってレバーピン１９がカム部材１５の切欠凹部１５ｂと当接する方向（反時計方向）に付勢されている。
この様に構成されたレバー部材１７は、前記カム部材１５とアーム部材１３の間に配設され、カム部材１５を回転させることによりカム部材の回転角度が大きくなって、遅延時間を創り出すことができる。ダンパー部材１８は、ロータリーダンパー等を使用するととができ、本体が収納ケース本体１１に固定されるとともに、歯車部１８ａがカム部材１５の歯車部１５ａと噛合している。
【００１３】
レール部材２０は、湾曲した２本の部材であるレール２０ａとレール２０ｂとから成り、蓋体１２が閉状態から開状態に至るまでのレバーピン１９を挟持案内し、蓋体１２の開動作が完了した時点でレバーピン１９の案内を終了する。蓋体１２が閉状態（図２）では、バネ部材３１により反時計方向に付勢されたレバーピン１９は、レール部材２０の入り口に位置しており、蓋体１２が開成状態（図４）でレバーピン１９は、レール部材２０の出口に位置する。また、レール部材２０は、収納ケース本体１１の側面に固定されている。
【００１４】
次に、以上のように構成された蓋体遅延作動機構１０の動作について図２〜図６に従って説明する。先ず、図２に示す蓋体１２が収納ケース本体１１の開口部を閉成した状態では、カム部材１５に立設されたピン部材１４は、アーム部材１３の切り欠き部１３ｂに当接して蓋体１２を閉成方向（矢印Ｃ方向）に付勢している。
【００１５】
図３に示すように、蓋体１２を手動で矢印Ｂ方向に開成すると、レバー部材１７のレバーピン１９は、レール部材２０に案内されつつカム部材１５の切欠凹部１５ｂに当接して反付勢方向に回動させる。この時点で蓋体１２から手を離しても、レバーピン１９はレール部材２０及びカム部材１５の切欠凹部１５ｂと係合しているので、そのままの状態を保持する。図４に示すように、蓋体１２の開成が完了した時点で、レバーピン１９はレール部材２０から外れカム部材１５の戻り回転が可能となる。
【００１６】
蓋体１２から手を離した際、カム部材１５が戻り回転しても、図５に示すようにカム部材１５に立設されたピン部材１４がアーム部材１３の切り欠き部１３ｂに当接するまでの時間、開成状態を維持する。つまり、レバー部材１７がカム部材１５を回転させることによりカム部材の回転角度が大きくなって、遅延時間を創作することができる。ピン部材１４が戻り回転を始めて、切り欠き部１３ｂに当接するまでの角度θ回転する間、蓋体１２は開いたままである。また、ダンパー部材１８の働きによりカム部材１５は、ゆっくり戻り回動する。したがって、ダンパー部材１８及びバネ部材１６の性能を変更することにより、開成時間を調整することができる。
その後、カム部材１５のピン部材１４は、アーム部材１３の切り欠き部１３ｂに当接してアーム部材１３及び蓋体１２を矢印Ｃ方向に回転させて、蓋体１２を閉じる。
【００１７】
以上のように、本発明は簡易な構造で蓋体の遅延作動を実現でき、自動車等のインナーパネル部の小物入れの他、家具等にも利用することができる。
【００１８】
更に、本発明は上述の実施例に限定されることなく、特許請求の範囲の記載に基づいて種々の設計変更が可能である。
【符号の説明】
【００１９】
１０    蓋体遅延作動機構
１１    収納ケース本体
１１ａ  開口部
１２    蓋体
１３    アーム部材
１３ａ  拡径部
１３ｂ  切り欠き部
１４    ピン部材
１５    カム部材
１５ａ  歯車部
１５ｂ  切欠凹部
１６    バネ部材
１７    レバー部材
１８    ダンパー部材
１８ａ  歯車部
１９    レバーピン
２０    レール部材
２１    軸
２２    軸孔
２３    コイルバネ
２４    ブシュ
２５    ネジ
２６    弾性材
２７    軸孔
２８    レバーピン
２９    カム軸
３０    軸孔
３１    バネ部材
【図１】
2013129272.tif 000003
【図２】
2013129272.tif 000004
【図３】
2013129272.tif 000005
【図４】
2013129272.tif 000006
【図５】
2013129272.tif 000007
【図６】
2013129272.tif 000008